(57)【要約】【課題】  魚の引きを溜める場合に、腹部に安定して支持することのできる竿構造を構築しながら、仕掛けを投げ出す際には釣り竿を長くして使用できるものを提供する。【解決手段】  リールシート４を備えた先側元竿部３Ａに対して、竿尻端部に握り部５を備えた元側元竿部３Ｂを、折れ曲り自在に連結する。リールシート４に取り付けたりリール７の存在側とは竿軸芯を挟んで１８０°反対側への折れ曲りを阻止すべく、先側元竿部３Ａと元側元竿部３Ｂとを蝶番状連結具６で連結している。【選択図】        図１
2008212045.tif 000002
【特許請求の範囲】
【請求項１】
リールシートを備えた先側元竿部に対して、竿尻端部に握り部を備えた元側元竿部を、折れ曲り自在に連結するとともに、前記リールシートのリール装着面とは竿軸芯を挟んで反対側への折れ曲りを阻止する機構を備えている投げ竿。
【請求項２】
前記先側元竿部と前記元側元竿部とを蝶番状連結具で折れ曲り自在に連結するとともに、前記先側元竿部の竿元側端と前記元側元竿部の竿先側端との当接状態で前記阻止する機構を構成してある請求項１記載の投げ竿。
【請求項３】
前記先側元竿部の竿尻側端と前記元側元竿部の竿先側端とに、弾性当接部材が装着してある請求項１又は２記載の投げ竿。
【発明の詳細な説明】
【技術分野】
【０００１】
本発明は、元竿を長くして使用する場合と、短くして使用することができる投げ竿に関する。
【背景技術】
【０００２】
元竿を先側元竿部としての可動竿先部と元側元竿部としての竿元部とを伸縮自在に構成し、仕掛けを投げる際には伸長状態にし、仕掛けを巻き上げたり、魚との遣り取りをする場合には、短縮状態にして使用するものがあった（特許文献１参照）。
【０００３】
【特許文献１】特開平７−３２７５５１号（段落番号〔００２２〕第１行目から第５行目、及び、図１）
【発明の開示】
【発明が解決しようとする課題】
【０００４】
上記構成においては、可動竿先部を竿元部に対して伸長または短縮状態に切り換えるべく、可動竿先部を竿軸線方向に沿ってスライド伸縮するものに構成していた。
そうすると、竿元部の竿尻端は可動竿先部の伸縮作動に関係なく、元竿の竿尻端に位置するものである。
一方、魚との遣り取りを行う場合には、魚の引きを溜めてそれに堪えるために、竿尻端を腹部に当て両手で釣り竿を握って操作する。
このように、元竿の竿尻端を腹部に当てて魚の引きに対応する場合に、元竿の竿尻端が直接腹部に作用するところから、腹部を圧迫するものであり、かつ、腹部に支持された釣り竿の姿勢が安定しにくい面があり、魚の引きに対する十分な溜めを作り難い面もあった。
【０００５】
本発明の目的は、魚の引きを溜める場合に、腹部に安定して支持することのできる竿構造を構築しながら、仕掛けを投げ出す際には釣り竿を長くして使用できるものを提供する点にある。
【課題を解決するための手段】
【０００６】
〔構成〕
請求項１に係る発明の特徴構成は、リールシートを備えた先側元竿部に対して、竿尻端部に握り部を備えた元側元竿部を、折れ曲り自在に連結するとともに、前記リールシートのリール装着面とは竿軸芯を挟んで反対側への折れ曲りを阻止する機構を備えている点にあり、その作用効果は次の通りである。
【０００７】
〔作用〕
元竿を、折れ曲り自在に連結された先側元竿部と元側元竿部とに構成することによって、魚の引きに溜めを作ってその引きに堪える場合には、元側元竿部を先側元竿部に対して折り曲げ、先側元竿部の竿元側端と元側元竿部の竿先側端との両者を腹部に当て付けることができる。
したがって、元竿の竿尻端のみを腹部に当て付けていた場合に比べて、当てつける面積を大きくできるとともに、先側元竿部の竿元側端と元側元竿部の竿先側端との二箇所になるところから、腹部に支持させた釣り竿の姿勢が安定する。
一方、仕掛けを投入する場合には、先側元竿部と元側元竿部とを伸長状態にして、一方の手で握り部を握り、利き手でリールを上に向けた状態で下から支えるようにリールシートを握って、そのリールシート部分を押し出すように竿を振って仕掛けを放出する。その際に、リールシートのリール装着面とは竿軸芯を挟んで反対側への折れ曲りを阻止する機構を備えているので、仕掛けの投げ出しが円滑に行える。
つまり、リールを上に向けて仕掛けを放出するが、仕掛けがまだ地面に付いた状態で竿を振り始めるので、リールシートのリール装着面とは竿軸芯を挟んで反対側への折れ曲りを許容する状態であると、先側元竿部と元側元竿部との間で折れ曲りが生ずる虞がある。そうすると、その折れ曲り状態を阻止する為に、リールシートのリール装着面を支持して竿を振っていく利き手に負担がかかり過ぎ、十分に竿を振ることができない虞がある。
その場合に、リールシートのリール装着面とは竿軸芯を挟んで反対側への折れ曲りを阻止する機構を備えているので、先側元竿部と元側元竿部との間で折れ曲りが生ずることなく、竿全体がリールシート部分を頂点として穂先竿が下に位置する状態で竿全体が円弧状の曲がりを生じながら、竿全体が釣り人の前方に移行するに連れて仕掛けを引き上げ空中より海面上に投げ出すことができる。
【０００８】
〔効果〕
仕掛けを放出する際には竿を長くして使用できるとともに、魚の引きに溜めを作る場合には、竿を短くし腹部への圧迫感を軽減しながら竿姿勢を安定したものにでき、かつ、仕掛けを振り出す場合にも、竿が折れ曲ることのないものを提供できるに至った。
【０００９】
請求項２に係る発明の特徴構成は、前記先側元竿部と前記元側元竿部とを蝶番状連結具で折れ曲り自在に連結するとともに、前記先側元竿部の竿元側端と前記元側元竿部の竿先側端との当接状態で前記阻止する機構を構成してある点にあり、その作用効果は次の通りである。
【００１０】
〔作用効果〕
元側元竿部を先側元竿部に対して折れ曲りを許容しながら、リール装着面とは竿軸芯を挟んで反対側への折れ曲りを阻止する機能を満たすものとして、蝶番状連結具をリール装着面と同じ側に設けた。このことによって、前記先側元竿部の竿元側端と前記元側元竿部の竿先側端との当接状態で前記した反対側への折れ曲りを阻止することができ、簡単な構造のもので、上記機能を満たす構成を構築できた。
【００１１】
請求項３に係る発明の特徴構成は、前記先側元竿部の竿尻側端と前記元側元竿部の竿先側端とに、弾性当接部材が装着してある点にあり、その作用効果は次の通りである。
【００１２】
〔作用効果〕
元竿元竿部を先側元竿部に対して折り曲げて、先側元竿部の竿元側端と元側元竿部の竿先側端とを腹部に当て付けた場合に、弾性当接部材が腹部に当接するので、腹部に対する圧迫感を緩和することができる。
【発明を実施するための最良の形態】
【００１３】
〔第１実施形態〕
キス釣り等に使用される投げ竿Ａについて説明する。図１に示すように、投げ竿Ａは、穂先竿１、二番竿から元上までの中竿２、元竿３を並継ぎ又は振り出し式に継いで、構成してある。元竿３には、板状リールシート４を取付糸で巻き付け固定するとともに、竿尻端に遠投操作用の握り部５を設けてある。
【００１４】
図１（イ）（ロ）に示すように、元竿３は、板状リールシート４を備えた先側元竿部３Ａと元側元竿部３Ｂとの二部材で構成し、先側元竿部３Ａの竿元側端部３ａと元側元竿部３Ｂの竿先側端部３ｂとに亘って蝶番状連結具６を掛け渡して、先側元竿部３Ａに対して元側元竿部３Ｂを、折れ曲り自在に連結して構成してある。
【００１５】
図１（イ）（ロ）に示すように、蝶番状連結具６の取付位置は、板状リールシート４のリール装着面となる取付位置と同じ周方向位置である。したがって、元側元竿部３Ｂは、板状リールシート４の取付位置とは竿軸芯を挟んで反対側への折れ曲りが阻止されている。ここに、蝶番状連結具６を、リールシートのリール装着面とは竿軸芯を挟んで反対側への折れ曲りを阻止する機構と称する。
【００１６】
蝶番状連結具６の構成について説明する。図２に示すように、先側元竿部３Ａの竿元側端部３ａに蝶番状連結具６の一方を構成する先側蝶番状連結具６Ａを、元側元竿部３Ｂの竿先側端部３ｂに蝶番状連結具６の他方を構成する元側蝶番状連結部６Ｂを取り付けている。
【００１７】
先側蝶番状連結具６Ａについて説明する。図２（イ）（ロ）に示すように、先側蝶番状連結具６Ａは、折れ曲り軸芯Ｘを構成するボス部６ａとそのボス部６ａを支持する板状フレーム６ｂとで構成してあり、板状フレーム６ｂは先側元竿部３Ａの外周面に沿った湾曲形状を呈している。図２（ロ）に示すように、ボス部６ａは、先側元竿部３Ａの竿元側端より僅かに突出する状態に設けて、折れ曲り軸芯Ｘ位置が先側元竿部３Ａの竿元側端部３ａと元側元竿部３Ｂの竿先側端部３ｂとの中間に位置するように構成してある。
この板状フレーム６ｂを先側元竿部３Ａの外周面に載置した状態で取付糸ａによって巻付け固定し、図示はしていないが、取付糸ａの上から塗料を塗布して取付状態を固定するようにしてある。
【００１８】
元側蝶番状連結具６Ｂも先側蝶番状連結具６Ａと略同一構成のものであり、ボス部６ａと板状フレーム６ｂとでなる。元側蝶番状連結具６Ｂと先側蝶番状連結具６Ａとを夫々取り付けた状態でボス部６ａ、６ａ同士が隣接する状態となり、それらに対して連結軸６Ｃを差込み、元側蝶番状連結具６Ｂと先側蝶番状連結具６Ａとを組み合わせ構成することができる。
【００１９】
以上のような構成を採る投げ竿Ａの使用形態は次ぎのようになる。図１（イ）に示すように、先側元竿部３Ａと元側元竿部３Ｂとを直線上に配置し、一方の手で握り部５を握り、板状リールシート４に取り付けたリール７を元竿３の上方に位置させて、板状リールシート４を取り付けた位置に下方から他方の手をあてがって、他方の手で一方の手を中心にして竿を振りかぶって、仕掛けを海に向けて投入する。
【００２０】
仕掛けを投入した後には、図３に示すように、元側元竿部３Ｂを先側元竿部３Ａに対する直線姿勢から折り返し先側元竿部３Ａに平行する姿勢に切り換える。この状態で巻き上げを開始し、魚が掛かって魚との遣り取りを行う場合には、元側元竿部３Ｂの竿先側端部３ｂと先側元竿部３Ａの竿元側端部３ａとを腹部に当て付け、魚の激しい動きに対して竿に溜めを作って対応し易い釣り操作姿勢を採ることができる。
【００２１】
〔第２実施形態〕
第１実施形態における蝶番状連結具６を設けた状態で、元側元竿部３Ｂの竿先側端部３ｂと先側元竿部３Ａの竿元側端部３ａとに、夫々、ゴムや軟性樹脂等の弾性当接部材８，８を装着する。このように弾性当接部材８，８を設けることによって、図３（イ）に示すように、先側元竿部３Ａと元側元竿部３Ｂとを直線姿勢に設定した場合には、両弾性当接部材８，８が当接する状態で直線状態を維持する。この状態より、図３（ロ）に示すように、元側元竿部３Ｂを折り返して先側元竿部３Ａに平行する姿勢になった状態で、釣り人の腹部に両弾性当接部材８，８が当接する状態になり、腹部に対する圧迫感が少ない。
【００２２】
〔第３実施形態〕
第１実施形態における蝶番状連結具６を設けた状態で、元側元竿部３Ｂと先側元竿部３Ａとに、夫々、互いに引き合う磁石９，９を装着する。このように磁石９，９を設けることによって、図４（イ）に示すように、先側元竿部３Ａと元側元竿部３Ｂとを直線姿勢に設定した場合には、両磁石９，９は離間する状態にあり、磁力が作用することは少なく、元側元竿部３Ｂの竿先側端部３ｂと先側元竿部３Ａの竿元側端部３ａとが当接する状態にあることによって直線姿勢を維持する。
【００２３】
この状態より、図４（ロ）に示すように、元側元竿部３Ｂを折り返して先側元竿部３Ａに平行する姿勢になった状態では、両磁石９，９が対向し両磁石９，９が引き合う状態になるとともに、釣り人の腹部に元側元竿部３Ｂの竿先側端部３ｂと先側元竿部３Ａの竿元側端部３ａとが当接する状態になり、折り返し姿勢が維持される。
【００２４】
このように、磁石９，９の引き合う力と元側元竿部３Ｂの竿先側端部３ｂと先側元竿部３Ａの竿元側端部３ａとが釣り人の腹部に当接する状態とが協働して、釣り竿の姿勢を維持し、魚の強い引きに対して十分な溜めを作って耐えることができる。
【００２５】
〔第４実施形態〕
ここでも、蝶番状連結具６を使用する形態を維持する。先側元竿部３Ａと元側元竿部３Ｂとを折り返し姿勢で連結する装着具１０について説明する。図５に示すように、装着具１０は、先側元竿部３Ａに嵌着される基端円筒部１０Ａと基端円筒部１０Ａから延出された弾性掴み部１０Ｂとを一体的に形成している。
【００２６】
図５に示すように、装着具１０は、基端円筒部１０Ａから弾性掴み部１０Ｂにかけて単一の板部材を曲げ形成して形成してあり、基端円筒部１０Ａは略閉じた円弧を呈するとともに、弾性掴み部１０Ｂは両側部があるだけで、先端は開放状態にある。このような形状を呈するので、弾性掴み部１０Ｂは、元側元竿部３Ｂが弾性掴み部１０Ｂに係合しようとすると、侵入してくる元側元竿部３Ｂの外周面に沿って押し開かれるとともに、侵入し終わると、包み込む状態にやや収縮して元側元竿部３Ｂを弾性的に挾持する。
【００２７】
以上のように装着具１０を設けることによって、元側元竿部３Ｂを折り返した状態で装着具１０によって保持できるので、釣り竿の姿勢を維持し、魚の強い引きに対して十分な溜めを作って耐えることができる。
【００２８】
〔その他の実施形態〕
ここでは、蝶番状連結具６を使用しない形態について説明する。図６に示すように、先側元竿部３Ａと元側元竿部３Ｂとをリンク機構Ｒによって連係するとともに、リンク機構Ｒを第１リンク部材１１と第２リンク部材１２とで構成する。第１リンク部材１１は筒状部材であり、先側元竿部３Ａの内部に位置して、その先側元竿部３Ａの軸線方向に沿ってスライド移動可能である。第１リンク部材１１には左右両側方に向けて係合ピン１１ａ、１１ａが突設され、この両係合ピン１１ａ、１１ａを先側元竿部３Ａに形成した係合長孔３ｃ、３ｃに係合させて、第１リンク部材１１を先側元竿部３Ａ内でスライド移動可能に構成してある。
【００２９】
一方、図６（イ）（ロ）に示すように、第２リンク部材１２は、左右一対の板状部材１２Ａ、１２Ａでなっている。一方の板状部材１２Ａを第１リンク部材１１と元側元竿部３Ｂとの夫々の側面に亘ってピン１３連結し、第１リンク部材１１と元側元竿部３Ｂとに対して夫々揺動自在に連結構成してある。他方の板状部材１２Ａを一方の板状部材１２Ａとは竿の軸芯を挟んで１８０°反対側に位置させ、第１リンク部材１１と元側元竿部３Ｂとの夫々の側面に亘ってピン１３連結し、第１リンク部材１１と元側元竿部３Ｂとに対して夫々揺動自在に連結構成してある。
以上のような構成によって、第２リンク部材１２を第１リンク部材１１及び元側元竿部３Ｂに対して相対揺動可能に構成する。
【００３０】
次に、元側元竿部３Ｂを先側元竿部３Ａに嵌合装着する構成について説明する。図６に示すように、元側元竿部３Ｂの竿先端側部分は、細径部３ｄになっており、この細径部３ｄの両側面に前記した第２リンク部材１２の板状部材１２Ａを、ピン１３を介して揺動可能に連結してある。このように、板状部材１２Ａを連結する部分を細径化してあるので、元側元竿部３Ｂは板状部材１２Ａを連結した状態であっても、先側元竿部３Ａの内部に入り込むことができる。
【００３１】
図６（イ）に示すように、元側元竿部３Ｂの細径部３ｄより竿元側に位置する竿先側部分３Ｃにおいては、通常の元竿３としての外径に近い大きさに形成されており、この竿先側部分３Ｃを先側元竿部３Ａの竿元側端部３ａの内周面に嵌合する外径に形成してある。
【００３２】
したがって、図６（イ）に示すように、元側元竿部３Ｂの竿先側部分３Ｃを先側元竿部３Ａの竿元側端部３ａ内に内嵌合すると、先側元竿部３Ａと元側元竿部３Ｂとを直線姿勢に設定でき、その場合に、第１リンク部材１１と第２リンク部材１２は、先側元竿部３Ａ内に位置しており、先側元竿部３Ａの内周面と嵌合状態にはない。
【００３３】
図６（イ）の状態より、元側元竿部３Ｂを竿尻側に引き出すと、元側元竿部３Ｂの竿先側部分と先側元竿部３Ａの竿元側端部３ａとの嵌合状態が解除し、元側元竿部３Ｂが先側元竿部３Ａより離れ、その状態より更に引き出すと第２リンク部材１２を引き出すことができる。この場合に第２リンク部材１２に連係された第１リンク部材１１は、係合長孔３ｃに沿って移動する。
【００３４】
図６（ロ）に示すように、元側元竿部３Ｂと第２リンク部材１２とを引き出した状態で、第２リンク部材１２を第１リンク部材１１に対して直交する姿勢に、かつ、元側元竿部３Ｂを第２リンク部材１２に対して直交する姿勢に切り換えて、元側元竿部３Ｂを先側元竿部３Ａに平行する姿勢に切り換えることができる。この状態で、魚との遣り取りを行う姿勢を採ることができる。
【００３５】
元側元竿部３Ｂと先側元竿部３Ａとの外周面には、前記した磁石９、９が装着してあり、この磁石９，９同士が引きあって、元側元竿部３Ｂを先側元竿部３Ａに対して平行する姿勢に維持する。
このように、元側元竿部３Ｂを先側元竿部３Ａに対して平行する姿勢に維持するのに、元側元竿部３Ｂの竿先側部分を先側元竿部３Ａの竿元側端部３ａに嵌合させる方法を採ったので、仕掛けを投入する際に竿を振り出し操作しても嵌合部位が、ガタツクことが少なく、振り出し操作が安定し容易になる。
【００３６】
〔別実施形態〕
（１）元側元竿部３Ｂを先側元竿部３Ａに対して折れ曲り自在に構成するに、必ずしも蝶番状連結具６で連結する必要はなく、弾性帯状体を元側元竿部３Ｂと先側元竿部３Ａとに亘って架け渡して構成してもよい。弾性帯状体としては、金属板であってもよく、または、皮革等を使用してもよい。
（２）蝶番状連結具６の構成において、板状フレーム６ｂを円弧面に沿った湾曲状に形成したが、板状フレーム６ｂを載置する面を平坦面に形成すれば、板状フレーム６ｂとして湾曲を施す必要はなく、平板状に構成すればよい。
【図面の簡単な説明】
【００３７】
【図１】（イ）投げ竿を示す側面図、（ロ）元側元竿部を先側元竿部に対して折り曲げた状態を示す側面図
【図２】（イ）蝶番状連結具を示し、元側元竿部と先側元竿部とを直線状にした状態を示す斜視図、（ロ）蝶番状連結具を示し、元側元竿部と先側元竿部とを直線状にした状態を示す斜視図
【図３】（イ）元側元竿部の竿先側端部と先側元竿部の竿元側端部とに弾性当接部材を取付けている側面図、（ロ）元側元竿部を竿先側端部に対して折り曲げ、竿先側端部と竿元側端部とを腹部に当接する状態を示す側面図
【図４】（イ）元側元竿部の竿先側端部と先側元竿部の竿元側端部とに磁石を取付けている側面図、（ロ）元側元竿部を竿先側端部に対して折り曲げ、竿先側端部と竿元側端部とを腹部に当接する状態を示す側面図
【図５】（イ）先側元竿部に装着具を備え、元側元竿部を折り曲げ装着具に保持させた状態を示す側面図、（ロ）先側元竿部に装着具を備え、元側元竿部を折り曲げ装着具に保持させた状態を示す縦断正面図
【図６】（イ）第１リンク部材、第２リンク部材で先側元竿部と元側元竿部とを連結し、元側元竿部を先側元竿部に嵌合連結した状態を示す側面図、（ロ）元側元竿部を先側元竿部に対して折り曲げた状態を示す側面図、（ハ）第１リンク部材、第２リンク部材で先側元竿部と元側元竿部とを連結し、元側元竿部を先側元竿部に嵌合連結した状態を示す斜視図
【符号の説明】
【００３８】
３Ａ          先側元竿部
３Ｂ          元側元竿部
４            リールシート
５            握り部
６            蝶番状連結具
８            弾性当接部材
【図１】
2008212045.tif 000003
【図２】
2008212045.tif 000004
【図３】
2008212045.tif 000005
【図４】
2008212045.tif 000006
【図５】
2008212045.tif 000007
【図６】
2008212045.tif 000008